(57)【要約】      （修正有）【課題】火災発生時において、一酸化炭素濃度の低い場合と、高い場合との双方において避難者の安全のための動作をする誘導灯の提供を目的とする。【解決手段】誘導灯１０１は、表示板２５と、表示板２５を発光させるＬＥＤモジュール２１と、一酸化炭素ガスの濃度を検出する一酸化炭素検知部１４と、スピーカを有すると共に、一酸化炭素ガスの発生を知らせる第１音声データを記憶し、第１音声データの出力を指令する第１指令信号に従って、第１音声データをスピーカから出力する誘導音声発生部１５と、一酸化炭素検知部１４によって検出された一酸化炭素ガス濃度が４００ｐｐｍを超えた場合には誘導音声発生部１５に第１指令信号を送信し、検出された一酸化炭素ガス濃度が８００ｐｐｍを超えた場合にはＬＥＤモジュール２１を消灯する制御部１３とを備えた。【選択図】図２
2012043074.tif 000002
【特許請求の範囲】
【請求項１】
避難誘導を示す所定の表示を有する誘導灯用パネルと、
前記誘導灯用パネルを発光させる光源と、
一酸化炭素ガスの濃度を検出する検出部と、
スピーカを有すると共に、一酸化炭素ガスの発生を知らせる第１の音声データを記憶し、前記第１の音声データの出力を指令する第１指令信号に従って、前記第１の音声データを前記スピーカから出力する音声発生部と、
前記検出部によって検出された一酸化炭素ガスの濃度が予め設定された第１の閾値を超えた場合には前記音声発生部に前記第１指令信号を送信し、前記検出部によって検出された一酸化炭素ガスの濃度が前記第１の閾値よりも高濃度の第２の閾値を超えた場合には前記光源を消灯する制御部と
を備えたことを特徴とする誘導灯。
【請求項２】
前記音声発生部は、
避難誘導のための第２の音声データを記憶すると共に所定の信号装置から火災の発生を通知する火災発生信号を受信すると前記第２の音声データを前記スピーカから出力し、前記第２の音声データを出力中に前記制御部から前記第１指令信号を受信すると前記第２の音声データから前記第１の音声データの出力に切り替えることを特徴とする請求項１記載の誘導灯。
【請求項３】
前記音声発生部は、
危険濃度の一酸化炭素ガスの発生を知らせる第３の音声データを記憶し、前記第３の音声データの出力を指令する第３指令信号に従って、前記第３の音声データを前記スピーカから出力し、
前記制御部は、
前記検出部によって検出された一酸化炭素ガスの濃度が前記第２の閾値を超えた場合には、前記音声発生部に前記第３指令信号を出力することを特徴とする請求項１または２のいずれかに記載の誘導灯。
【発明の詳細な説明】
【技術分野】
【０００１】
この発明は誘導灯に関する。
【背景技術】
【０００２】
煙感知器を具備した装置に関する技術がある（特許文献１参照）。
【先行技術文献】
【特許文献】
【０００３】
【特許文献１】特開平１１−１６１８７３号公報
【発明の概要】
【発明が解決しようとする課題】
【０００４】
従来の誘導灯は、一酸化炭素の濃度の低い場合と、高い場合との双方において避難者のための安全動作を行うことはなかった。
【０００５】
本発明は、火災避難時に、それ自体が無色透明で人体に有毒な一酸化炭素対策として、一酸化炭素の濃度の低い場合と、高い場合との双方において避難者の安全のための動作をする誘導灯の提供を目的とする。
【課題を解決するための手段】
【０００６】
この発明の誘導灯は、
避難誘導を示す所定の表示を有する誘導灯用パネルと、
前記誘導灯用パネルを発光させる光源と、
一酸化炭素ガスの濃度を検出する検出部と、
スピーカを有すると共に、一酸化炭素ガスの発生を知らせる第１の音声データを記憶し、前記第１の音声データの出力を指令する第１指令信号に従って、前記第１の音声データを前記スピーカから出力する音声発生部と、
前記検出部によって検出された一酸化炭素ガスの濃度が予め設定された第１の閾値を超えた場合には前記音声発生部に前記第１指令信号を送信し、前記検出部によって検出された一酸化炭素ガスの濃度が前記第１の閾値よりも高濃度の第２の閾値を超えた場合には前記光源を消灯する制御部と
を備えたことを特徴とする。
【発明の効果】
【０００７】
本発明の誘導灯は、一酸化炭素の濃度の低い場合と、高い場合との双方において避難者の安全のための動作をするので、避難者を一酸化炭素中毒から保護することができる。
【図面の簡単な説明】
【０００８】
【図１】実施の形態１の誘導灯１０１の外観を示す斜視図。
【図２】実施の形態１の誘導灯１０１のブロック図。
【図３】実施の形態１の表示部２０の斜視図。
【図４】実施の形態１の表示部２０の構成を示す図。
【図５】実施の形態１の誘導１０１において、一酸化炭素の検知濃度による動作を示す表。
【図６】実施の形態１の誘導灯１０２の斜視図。
【図７】実施の形態１の誘導灯１０３の斜視図。
【図８】実施の形態１の誘導灯１０４の斜視図。
【発明を実施するための形態】
【０００９】
実施の形態１．
図１は、実施の形態１の誘導灯１０１の外観を示す斜視図である。誘導灯１０１は、誘導音の発生機能と、非常時に点滅灯（キセノン管等）を点滅する点滅機能と、さらに、一酸化炭素検知部を内蔵し、一酸化炭素検知機能をも有する。図１において、誘導灯１０１の正面には、表示板２５の左側に、誘導音を発生するスピーカ４１と、一酸化炭素を吸い込む一酸化炭素摂取用の摂取用穴３１が配置されている。また、誘導灯１０１の下側には点滅灯４２が配置されている。
【００１０】
図２は、誘導灯１０１の構成を示すブロック図である。誘導灯１０１は、器具本体１０と、器具本体１０に取り付けられる表示部２０とを備える。なお表示部２０の詳細は、図３、図４に示した。
【００１１】
図２に示すように、器具本体１０は、電源変換部１１、バッテリ１２、制御部１３、一酸化炭素検知部１４（検出部）、誘導音発生部１５、点灯ユニット１６を備える。
（１）電源変換部１１は、商用交流電源７を直流電源に変換する。
（２）バッテリ１２は、電源変換部１１の電力で充電される。
（３）制御部１３は、バッテリ１２または商用交流電源７の電力によって動作し、一酸化炭素検知部１４、誘導音発生部１５及び点灯ユニット１６を制御する。
（４）一酸化炭素検知部１４は、バッテリ１２または商用交流電源７の電力によって動作して、一酸化炭素の濃度を検知する。
（５）誘導音発生部１５は複数の種類の音声データを記憶しており、バッテリ１２または商用交流電源７の電力によって動作する。
（６）点灯ユニット１６は、バッテリ１２または商用交流電源７の電力によって動作し、ＬＥＤモジュール２１、点滅灯４２を点灯させる。
【００１２】
一酸化炭素検知部１４は、一酸化炭素ガスの濃度の監視を行い、一定の濃度以上で制御部１３に発報する。一酸化炭素検知部１４が発報する動作濃度は、例えば、米国連邦労働安全衛生局（ＯＳＨＡ）の推奨最高限度値である４００ｐｐｍに設定されている。本実施の形態１の誘導灯１０１は、一酸化炭素の検知濃度が４００ｐｐｍを超えた場合と、８００ｐｐｍｍを超えた場合との双方の場合に、異なる動作を実行する。なお前記の４００ｐｐｍの値は、低濃度で発報し注意を促すためである。
【００１３】
表示部２０は、避難誘導を示す所定の表示を有する表示板２５（誘導灯用パネル）と、表示板２５を照射して発光させる光源であるＬＥＤモジュール２１とを備える。誘導灯１０１は導光板方式である。
図３は、表示部２０の斜視図である。
図４は、表示部２０の構成を示す断面図である。図４に示すように、表示部２０は、ＬＥＤモジュール２１と、表示板２５と、光学シート２６と、導光板２７と、反射シート２８と、表示板ケース２９とを備える。表示板ケース２９には、ＬＥＤモジュール２１及び表示板２５〜反射シート２８が取り付けられる。また、ＬＥＤモジュール２１は、複数のＬＥＤ２２、これらのＬＥＤが配置される基板２３、電源用のコネクタ２４などを備えている。
【００１４】
次に、誘導灯１０１の動作を説明する。
【００１５】
建物内で火災が発生すると、火災により発生した一酸化炭素は温められて生じる上昇気流により、居室内の天井付近の高い位置から徐々に居室内全体に充満していく。火災が発生すると信号装置（図示していない）から火災発生の信号が送信される。この信号を契機として、誘導灯１０１は点滅灯４２を点滅させ、また、誘導音声案内を誘導音発生部１５からスピーカ４１を介して発生する。
【００１６】
一酸化炭素が居室内の高い位置に充満してきたとき、誘導灯１０１の摂取用穴３１に一酸化炭素が入り込み、器具本体１０内部に備えられた一酸化炭素検知部１４が一酸化炭素の濃度を検出する。この検知結果は制御部１３に送信される。
【００１７】
一酸化炭素検知部１４による一酸化炭素の濃度が４００ｐｐｍ（第１の閾値）を超えると制御部１３は、誘導音発生部１５と点灯ユニット１６とに制御信号を送信することにより、避難音声案内（第２の音声データ）と点滅灯４２の点滅とを停止させ、新たな音声警告として、「危険、危険、こちらは毒性ガスが発生しています。」などの音声（第１の音声データ）を誘導音発生部１５に出力させて、避難者に通知する。つまり誘導音発生部１５の場合、制御部１３から上記の制御信号（第１指令信号）を受信すると、避難音声案内から一酸化炭素ガスの発生を知らせる音声の出力に切り替える。
【００１８】
また、一酸化炭素検知部１４は、一酸化炭素の検知濃度がさらに高い例えば、８００ｐｐｍ（第２の閾値）を超えると、検知濃度が８００ｐｐｍを超えたことを制御部１３に通知する。制御部１３は、この信号を受信すると、点灯ユニット１６を制御することにより、表示板２５を発光させているＬＥＤモジュール２１のＬＥＤを消灯させる。また、同時に、制御部１３は、誘導音発生部１５に制御信号（第３指令信号）を送信することにより、「危険な濃度の一酸化炭素が充満しています。他の避難口へ避難してください。」等の危険濃度の一酸化炭素の発生を知らせる音声（第３の音声データ）を誘導音発生部１５に出力させる。このように、一酸化炭素の濃度が危険濃度（８００ｐｐｍ以上）に達しているときに、避難誘導を停止するとともに、危険濃度に達していることを報知することで、一酸化炭素中毒を防止できる。
【００１９】
このように、居室内の天井などの高い位置に取り付けられる誘導灯１０１に、一酸化炭素検知機能を備えたので、室内の上部に一酸化炭素が充満しつつあることを避難者に音声で通知できる。また、４００ｐｐｍ、８００ｐｐｍという２段階で避難者に通知するので、安全性を向上できる。
【００２０】
図５は、一酸化炭素の検知濃度が４００ｐｐｍ、８００ｐｐｍを超えた際の、誘導灯１０１の動作を示す表である。図５の方式１は、上記の説明した内容である。誘導灯１０１の動作は方式１に限定されない。例えば、方式２でもよい。方式２は、方式１に対して、８００ｐｐｍを超える場合に、一酸化炭素発生に関する警告音声を発生せず、表示板２５の発光のみを停止する方式である。また、方式３でもよい。方式３は、方式２に対して、火災発生時に、避難誘導音声を出力しない点が異なる。
【００２１】
図６〜図８は、一酸化炭素の検知用穴（摂取用穴３１）の配置のバリエーションを示す図である。図６の誘導灯１０２は、一酸化炭素の検知用穴（摂取用穴３１）を、誘導灯下面（設置時に居室の床に対向する面）に配置したものであり、図１の誘導灯１０１よりも一酸化炭素を摂取しやすい。図７の誘導灯１０３は、一酸化炭素の検知用穴（摂取用穴３１）を、正面と下面の２箇所に配置した。これは、図１と図６の場合を併せた構成である。摂取用穴３１を正面と下面との両方に設けたので一酸化炭素ガスが流れやすくなり、よって、さらに一酸化炭素を検出しやすくなる。図８の誘導灯１０４は、一酸化炭素検知部１４を器具から突出させた構造の外観斜視図である。一酸化炭素検知部１４を外部に突出させたため、一酸化炭素を検出しやすくなる。
【符号の説明】
【００２２】
１０  器具本体、１１  電源変換部、１２  バッテリ、１３  制御部、１４  一酸化炭素検知部、１５  誘導音発生部、１６  点灯ユニット、２０  表示部、２１  ＬＥＤモジュール、２２  ＬＥＤ、２３  基板、２４  コネクタ、２５  表示板、２６  光学シート、２７  導光板、２８  反射シート、２９  表示板ケース、３１，３２  摂取用穴、４１  スピーカ、４２  点滅灯、１０１〜１０４  誘導灯。
【図１】
2012043074.tif 000003
【図２】
2012043074.tif 000004
【図３】
2012043074.tif 000005
【図４】
2012043074.tif 000006
【図５】
2012043074.tif 000007
【図６】
2012043074.tif 000008
【図７】
2012043074.tif 000009
【図８】
2012043074.tif 000010